(57)【要約】【課題】録画等の番組に関する動作を正確に行うことが期待できる番組録画装置および番組録画方法を提供する。【解決手段】解析部１６は、録画予約格納部１３ａに格納されている録画予約に応じて番組格納部２に格納している最中の番組の特定パターンの出現時刻が他の特定パターンの出現時刻に対してずれている場合、録画予約格納部１３ａに格納されているその番組の録画終了時刻をそのずれ時間だけ変更する。予約部１３は、解析部１６によって変更された録画終了時刻に基づいて録画時間帯を変更する。【選択図】      図１
2005294971.tif 000002
【特許請求の範囲】
【請求項１】
番組格納部に格納された複数の番組を用いて番組の録画時間帯を決定する番組録画装置であって、
前記番組格納部に格納された複数の番組について一致する箇所があるかを照合する照合部と、
前記照合部の照合結果に基づいて番組の録画時間帯を決定する録画時間帯決定部と、
前記録画時間帯決定部によって決定された録画時間帯に基づいて番組を録画する録画部とを含む番組録画装置。
【請求項２】
請求項１に記載の番組録画装置において、
ユーザによって入力された番組の録画予約を受け付ける録画予約受付部をさらに含み、
前記番組格納部は、前記複数の番組をその放送時の時刻とともに格納し、
前記複数の番組は、前記録画予約受付部によって受け付けられた番組の録画予約によって特定される番組と、該番組の録画予約によって特定される番組と異なりかつ該番組の録画予約によって特定される番組と同じ番組名の関連番組とを含み、
前記複数の番組のそれぞれは、番組開始時から所定時間が経過した際に共通の特定パターンが出現し、
前記照合部は、前記番組格納部に格納された複数の番組同士を照合することによって、前記関連番組の特定パターンの出現時刻に対する該番組の録画予約によって特定される番組の特定パターンの出現時刻のずれ時間を検出し、
前記録画時間帯決定部は、前記録画予約受付部によって受け付けられた番組の録画予約を前記照合部によって検出されたずれ時間に基づいて変更することにより前記番組の録画時間帯を決定する、番組録画装置。
【請求項３】
請求項２に記載の番組録画装置において、
前記番組の録画予約は、録画開始時刻および録画終了時刻とを含み、
前記録画時間帯決定部は、前記番組の録画予約によって示された録画終了時刻を前記照合部によって検出されたずれ時間に基づいて変更する、番組録画装置。
【請求項４】
請求項２または３に記載の番組録画装置において、
前記特定パターンは、番組のテーマ曲、コマーシャルまたは番組のタイトルを示した映像パターンである、番組録画装置。
【請求項５】
請求項１に記載の番組録画装置において、
前記番組格納部は、前記録画時間帯決定部によって決定された録画時間帯にかかわらず前記番組録画装置が放送局から受信可能な番組を一時的に格納し、
前記録画部は、前記録画時間帯決定部によって決定された録画時間帯に基づいて、前記番組格納部に格納された複数の番組の中から録画する番組を選択し、その選択した番組を番組記録媒体に格納する、番組録画装置。
【請求項６】
請求項５に記載の番組録画装置において、
ユーザによって入力された番組の録画指示を受け付ける録画指示受付部をさらに含み、
前記番組格納部は、前記複数の番組をその放送時の時刻とともに格納し、
前記複数の番組は、前記録画指示受付部によって受け付けられた番組の録画指示によって特定される番組と、該番組の録画指示によって特定される番組と異なりかつ該番組の録画指示によって特定される番組と同じ番組名の関連番組とを含み、
前記複数の番組のそれぞれは、番組開始時から所定時間が経過した際に共通の特定パターンが出現し、
前記照合部は、前記番組格納部に格納された複数の番組同士を照合することによって、前記関連番組の特定パターンの出現時刻に対する該番組の録画指示によって特定される番組の特定パターンの出現時刻のずれ時間を検出し、
前記録画時間帯決定部は、前記録画指示受付部によって受け付けられた番組の録画指示を前記照合部によって検出されたずれ時間に基づいて変更することにより前記番組の録画時間帯を決定する、番組録画装置。
【請求項７】
請求項５に記載の番組録画装置において、
前記録画時間帯決定部によって決定された録画時間帯にかかわらず前記番組録画装置が放送局から受信可能な番組を前記番組格納部が一時的に格納するか否かの設定がユーザによって行われる設定部と、
前記設定部の設定内容に合うように、前記番組格納部に番組を格納する番組格納実行部とをさらに含む、番組録画装置。
【請求項８】
請求項７に記載の番組録画装置において、
前記番組格納部に番組の一部しか存在しない部分番組が格納されている際にユーザによって入力された前記部分番組を指定する旨の部分番組指定情報を受け付ける入力部をさらに含み、
前記照合部は、前記入力部によって受け付けられた部分番組指定情報によって指定された部分番組と該部分番組の後に前記番組格納部に格納された番組とを照合することによって、該部分番組と同じ内容の部分番組を検出し、
前記録画時間帯決定部は、前記照合部によって検出された部分番組の前の部分および／または後ろの部分が録画されるように番組の録画時間帯を決定する、番組録画装置。
【請求項９】
請求項１または５に記載の番組録画装置において、
前記照合部は、前記番組格納部に格納された複数の番組同士を照合することによって、該複数の番組からコマーシャルを検出し、
前記録画時間決定部は、前記照合部によって検出されたコマーシャルを除いた番組の録画時間帯を決定する、番組録画装置。
【請求項１０】
請求項１または５に記載の番組録画装置において、
前記照合部は、前記番組格納部に格納された複数の番組同士を照合することによって、該複数の番組からコマーシャルを検出し、
前記録画部によって録画された番組を再生する際に、前記照合部によって検出されたコマーシャルを除いて再生する再生部をさらに含む、番組録画装置。
【請求項１１】
請求項９または１０に記載の番組録画装置において、
コマーシャル特定条件を格納する条件格納部をさらに含み、
前記照合部は、前記番組格納部に格納された複数の番組同士の照合結果および前記条件格納部に格納されたコマーシャル特定条件とに基づいて前記コマーシャルを検出する、番組録画装置。
【請求項１２】
番組格納部に格納された複数の番組を用いて番組の録画時間帯を決定する番組録画装置が行う番組録画方法であって、
前記番組格納部に格納された複数の番組について一致する箇所があるかを照合する照合ステップと、
前記照合ステップの照合結果に基づいて番組の録画時間帯を決定する録画時間帯決定ステップと、
前記録画時間帯決定ステップで決定された録画時間帯に基づいて番組を録画する録画ステップとを含む番組録画方法。
【請求項１３】
請求項１２に記載の番組録画方法において、
ユーザによって入力された番組の録画予約を受け付ける録画予約受付ステップをさらに含み、
前記番組格納部は、前記複数の番組をその放送時の時刻とともに格納し、
前記複数の番組は、前記録画予約受付部によって受け付けられた番組の録画予約によって特定される番組と、該番組の録画予約によって特定される番組と異なりかつ該番組の録画予約によって特定される番組と同じ番組名の関連番組とを含み、
前記複数の番組のそれぞれは、番組開始時から所定時間が経過した際に共通の特定パターンが出現し、
前記照合ステップは、前記番組格納部に格納された複数の番組同士を照合することによって、前記関連番組の特定パターンの出現時刻に対する該番組の録画予約によって特定される番組の特定パターンの出現時刻のずれ時間を検出し、
前記録画時間帯決定ステップは、前記録画予約受付ステップで受け付けられた番組の録画予約を前記照合ステップで検出されたずれ時間に基づいて変更することにより前記番組の録画時間帯を決定する、番組録画方法。
【請求項１４】
請求項１３に記載の番組録画方法において、
前記番組の録画予約は、録画開始時刻および録画終了時刻とを含み、
前記録画時間帯決定ステップは、前記番組の録画予約によって示された録画終了時刻を前記照合ステップで検出されたずれ時間に基づいて変更する、番組録画方法。
【請求項１５】
請求項１３または１４に記載の番組録画方法において、
前記特定パターンは、番組のテーマ曲、コマーシャルまたは番組のタイトルを示した映像パターンである、番組録画方法。
【請求項１６】
請求項１２に記載の番組録画方法において、
前記番組格納部は、前記録画時間帯決定ステップで決定された録画時間帯にかかわらず前記番組録画装置が放送局から受信可能な番組を一時的に格納し、
前記録画ステップは、前記録画時間帯決定ステップで決定された録画時間帯に基づいて、前記番組格納部に格納された複数の番組の中から録画する番組を選択し、その選択した番組を番組記録媒体に格納する、番組録画方法。
【請求項１７】
請求項１６に記載の番組録画方法において、
ユーザによって入力された番組の録画指示を受け付ける録画指示受付ステップをさらに含み、
前記番組格納部は、前記複数の番組をその放送時の時刻とともに格納し、
前記複数の番組は、前記録画指示受付部によって受け付けられた番組の録画指示によって特定される番組と、該番組の録画指示によって特定される番組と異なりかつ該番組の録画指示によって特定される番組と同じ番組名の関連番組とを含み、
前記複数の番組のそれぞれは、番組開始時から所定時間が経過した際に共通の特定パターンが出現し、
前記照合ステップは、前記番組格納部に格納された複数の番組同士を照合することによって、前記関連番組の特定パターンの出現時刻に対する該番組の録画指示によって特定される番組の特定パターンの出現時刻のずれ時間を検出し、
前記録画時間帯決定ステップは、前記録画指示受付ステップで受け付けられた番組の録画指示を前記照合ステップで検出されたずれ時間に基づいて変更することにより前記番組の録画時間帯を決定する、番組録画方法。
【請求項１８】
請求項１６に記載の番組録画方法において、
ユーザによって入力された、前記録画時間帯決定ステップで決定された録画時間帯にかかわらず前記番組録画装置が放送局から受信可能な番組を前記番組格納部が一時的に格納するか否かの設定を受け付ける設定受付ステップと、
前記設定受付ステップで受け付けた設定内容に合うように、前記番組格納部に番組を格納する番組格納実行ステップとをさらに含む、番組録画方法。
【請求項１９】
請求項１８に記載の番組録画方法において、
前記番組格納部に番組の一部しか存在しない部分番組が格納されている際にユーザによって入力された前記部分番組を指定する旨の部分番組指定情報を受け付ける入力ステップをさらに含み、
前記照合ステップは、前記入力ステップで受け付けられた部分番組指定情報によって指定された部分番組と該部分番組の後に前記番組格納部に格納された番組とを照合することによって、該部分番組と同じ内容の部分番組を検出し、
前記録画時間帯決定ステップは、前記照合ステップで検出された部分番組の前の部分および／または後ろの部分が録画されるように番組の録画時間帯を決定する、番組録画方法。
【請求項２０】
請求項１２または１６に記載の番組録画方法において、
前記照合ステップは、前記番組格納部に格納された複数の番組同士を照合することによって、該複数の番組からコマーシャルを検出し、
前記録画時間決定ステップは、前記照合ステップで検出されたコマーシャルを除いた番組の録画時間帯を決定する、番組録画方法。
【請求項２１】
請求項１２または１６に記載の番組録画方法において、
前記照合ステップは、前記番組格納部に格納された複数の番組同士を照合することによって、該複数の番組からコマーシャルを検出し、
前記録画ステップで録画された番組を再生する際に、前記照合ステップで検出されたコマーシャルを除いて再生する再生ステップをさらに含む、番組録画方法。
【請求項２２】
請求項２０または２１に記載の番組録画方法において、
前記照合ステップは、前記番組格納部に格納された複数の番組同士の照合結果およびコマーシャル特定条件を格納する条件格納部に格納されたコマーシャル特定条件とに基づいて前記コマーシャルを検出する、番組録画方法。
【発明の詳細な説明】
【技術分野】
【０００１】
本発明は、番組録画装置および番組録画方法に関する。
【背景技術】
【０００２】
従来、いろいろな番組録画装置が知られている。
【０００３】
例えば、特許文献１（特開平６−３０９７３３号公報）には、テレビ番組の映像情報から映像の特徴を検出し、ユーザによって設定された録画開始時刻になっても予め設定された特徴が検出されない場合、録画動作の開始時刻および終了時刻を遅らせる番組録画装置が記載されている。
【０００４】
また、特許文献２（特開平１０−２６９７５４号公報）には、ユーザが設定した録画予約情報によって特定される番組の放送時刻が変更されたか否かをサーバに確認し、サーバから送信された変更後の放送時刻を示した予約情報を受信した際に、その受信した予約情報に基づいて録画予約を変更する番組録画装置が記載されている。
【０００５】
また、特許文献３（特開２００３−３３３４８１号公報）には、録画予約したにもかかわらず録画できなかった番組と同じタイトルの番組が将来放送されることをＥＰＧ（Electronic Program Guide）情報を用いて検出すると、その検知した番組のＥＰＧ情報を掲示する番組録画装置が記載されている。
【０００６】
また、特許文献４（特開昭６３−２２２５８６号公報）には、テレビジョン映像信号に含まれるＣＭ（コマーシャル）開始／終了予告信号を利用することによって、番組を録画する際に不要なＣＭが録画されることを防止する番組録画装置が記載されている。
【特許文献１】特開平６−３０９７３３号公報
【特許文献２】特開平１０−２６９８５４号公報
【特許文献３】特開２００３−３３３４８１号公報
【特許文献４】特開昭６３ー２２２５８６号公報
【発明の開示】
【発明が解決しようとする課題】
【０００７】
特許文献１ないし４に記載の番組録画装置は、番組そのものとは異なる情報を用いて、録画等の番組に関する動作を制御している。
【０００８】
例えば、特許文献１に記載の番組録画装置は、知識ベース手段（具体的には、パターンデータ）に格納されている情報という番組そのものとは異なる情報を用いて番組の録画時間帯を制御している。また、特許文献２に記載の番組録画装置は、サーバから送信される予約情報という番組そのものとは異なる情報を用いて番組の録画時間帯を制御している。また、特許文献３に記載の番組録画装置は、ＥＰＧ情報という番組そのものとは異なる情報を用いて番組の録画時間帯を制御している。また、特許文献４に記載の番組録画装置は、ＣＭ開始／終了予告信号という番組そのものとは異なる情報を用いて番組の録画時間帯を制御している。
【０００９】
特許文献１ないし４に記載の番組録画装置のように、録画等の番組に関する動作が番組そのものとは異なる情報によって制御される場合、例えば、何らかの原因によって、番組そのものとは異なる情報がその番組のことを正確に示さない状況が発生すると、録画動作などの番組に関する動作を正確に行えなくなるという問題が生じてしまう。
【００１０】
本発明の目的は、録画動作等の番組に関する動作を正確に行うことが期待できる番組録画装置および番組録画方法を提供することである。
【課題を解決するための手段】
【００１１】
上記の目的を達成するために、本発明の番組録画装置は、番組格納部に格納された複数の番組を用いて番組の録画時間帯を決定する番組録画装置であって、前記番組格納部に格納された複数の番組について一致する箇所があるかを照合する照合部と、前記照合部の照合結果に基づいて番組の録画時間帯を決定する録画時間帯決定部と、前記録画時間帯決定部によって決定された録画時間帯に基づいて番組を録画する録画部とを含む。
【００１２】
また、本発明の番組録画方法は、番組格納部に格納された複数の番組を用いて番組の録画時間帯を決定する番組録画装置が行う番組録画方法であって、前記番組格納部に格納された複数の番組について一致する箇所があるかを照合する照合ステップと、前記照合ステップの照合結果に基づいて番組の録画時間帯を決定する録画時間帯決定ステップと、前記録画時間帯決定ステップで決定された録画時間帯に基づいて番組を録画する録画ステップとを含む。
【００１３】
上記の発明によれば、番組そのものと異なる情報を用いて録画時間帯を制御するのではなく番組そのものを用いて録画時間帯を制御しているため、録画時間帯が実際の番組の内容に則して決定される。このため、番組そのものと異なる情報を用いて録画時間帯を制御する場合より、正確な番組録画が実行されることが期待できる。
【００１４】
また、上記番組録画装置において、ユーザによって入力された番組の録画予約を受け付ける録画予約受付部をさらに含み、前記番組格納部は、前記複数の番組をその放送時の時刻とともに格納し、前記複数の番組は、前記録画予約受付部によって受け付けられた番組の録画予約によって特定される番組と、該番組の録画予約によって特定される番組と異なりかつ該番組の録画予約によって特定される番組と同じ番組名の関連番組とを含み、前記複数の番組のそれぞれは、番組開始時から所定時間が経過した際に共通の特定パターンが出現し、前記照合部は、前記番組格納部に格納された複数の番組同士を照合することによって、前記関連番組の特定パターンの出現時刻に対する該番組の録画予約によって特定される番組の特定パターンの出現時刻のずれ時間を検出し、前記録画時間帯決定部は、前記録画予約受付部によって受け付けられた番組の録画予約を前記照合部によって検出されたずれ時間に基づいて変更することにより前記番組の録画時間帯を決定することが望ましい。
【００１５】
また、上記番組録画方法において、ユーザによって入力された番組の録画予約を受け付ける録画予約受付ステップをさらに含み、前記番組格納部は、前記複数の番組をその放送時の時刻とともに格納し、前記複数の番組は、前記録画予約受付部によって受け付けられた番組の録画予約によって特定される番組と、該番組の録画予約によって特定される番組と異なりかつ該番組の録画予約によって特定される番組と同じ番組名の関連番組とを含み、前記複数の番組のそれぞれは、番組開始時から所定時間が経過した際に共通の特定パターンが出現し、前記照合ステップは、前記番組格納部に格納された複数の番組同士を照合することによって、前記関連番組の特定パターンの出現時刻に対する該番組の録画予約によって特定される番組の特定パターンの出現時刻のずれ時間を検出し、前記録画時間帯決定ステップは、前記録画予約受付ステップで受け付けられた番組の録画予約を前記照合ステップで検出されたずれ時間に基づいて変更することにより前記番組の録画時間帯を決定することが望ましい。
【００１６】
上記の発明によれば、受け付けられた番組の録画予約が、複数の番組間での特定パターンの出現時刻のずれに基づいて変更される。複数の番組間での特定パターンの出現時刻のずれは、複数の番組同士を照合することによって検出される。このため、番組の録画予約は、番組そのものに基づいて変更され、正確な番組録画が実行されることが期待できる。
【００１７】
また、上記番組録画装置において、前記番組の録画予約は、録画開始時刻および録画終了時刻とを含み、前記録画時間帯決定部は、前記番組の録画予約によって示された録画終了時刻を前記照合部によって検出されたずれ時間に基づいて変更することが望ましい。
【００１８】
また、上記番組録画方法において、前記番組の録画予約は、録画開始時刻および録画終了時刻とを含み、前記録画時間帯決定ステップは、前記番組の録画予約によって示された録画終了時刻を前記照合ステップで検出されたずれ時間に基づいて変更することが望ましい。
【００１９】
また、前記特定パターンは、番組のテーマ曲、コマーシャルまたは番組のタイトルを示した映像パターンであることが望ましい。
【００２０】
また、上記番組録画装置において、前記番組格納部は、前記録画時間帯決定部によって決定された録画時間帯にかかわらず前記番組録画装置が放送局から受信可能な番組を一時的に格納し、前記録画部は、前記録画時間帯決定部によって決定された録画時間帯に基づいて、前記番組格納部に格納された複数の番組の中から録画する番組を選択し、その選択した番組を番組記録媒体に格納することが望ましい。
【００２１】
また、上記番組録画方法において、前記番組格納部は、前記録画時間帯決定ステップで決定された録画時間帯にかかわらず前記番組録画装置が放送局から受信可能な番組を一時的に格納し、前記録画ステップは、前記録画時間帯決定ステップで決定された録画時間帯に基づいて、前記番組格納部に格納された複数の番組の中から録画する番組を選択し、その選択した番組を番組記録媒体に格納することが望ましい。
【００２２】
上記の発明によれば、録画時間帯にかかわらず番組録画装置によって受信可能な番組が一時的に番組格納部に格納され、番組格納部に格納された複数の番組の中から録画する番組が録画時間帯に基づいて選択され、その選択された番組が番組記録媒体に格納される番組録画装置においても、上記と同様の効果を奏することが可能となる。
【００２３】
上記番組録画装置において、ユーザによって入力された番組の録画指示を受け付ける録画指示受付部をさらに含み、前記番組格納部は、前記複数の番組をその放送時の時刻とともに格納し、前記複数の番組は、前記録画指示受付部によって受け付けられた番組の録画指示によって特定される番組と、該番組の録画指示によって特定される番組と異なりかつ該番組の録画指示によって特定される番組と同じ番組名の関連番組とを含み、前記複数の番組のそれぞれは、番組開始時から所定時間が経過した際に共通の特定パターンが出現し、前記照合部は、前記番組格納部に格納された複数の番組同士を照合することによって、前記関連番組の特定パターンの出現時刻に対する該番組の録画指示によって特定される番組の特定パターンの出現時刻のずれ時間を検出し、前記録画時間帯決定部は、前記録画指示受付部によって受け付けられた番組の録画指示を前記照合部によって検出されたずれ時間に基づいて変更することにより前記番組の録画時間帯を決定することが望ましい。
【００２４】
上記番組録画方法において、ユーザによって入力された番組の録画指示を受け付ける録画指示受付ステップをさらに含み、前記番組格納部は、前記複数の番組をその放送時の時刻とともに格納し、前記複数の番組は、前記録画指示受付部によって受け付けられた番組の録画指示によって特定される番組と、該番組の録画指示によって特定される番組と異なりかつ該番組の録画指示によって特定される番組と同じ番組名の関連番組とを含み、前記複数の番組のそれぞれは、番組開始時から所定時間が経過した際に共通の特定パターンが出現し、前記照合ステップは、前記番組格納部に格納された複数の番組同士を照合することによって、前記関連番組の特定パターンの出現時刻に対する該番組の録画指示によって特定される番組の特定パターンの出現時刻のずれ時間を検出し、前記録画時間帯決定ステップは、前記録画指示受付ステップで受け付けられた番組の録画指示を前記照合ステップで検出されたずれ時間に基づいて変更することにより前記番組の録画時間帯を決定することが望ましい。
【００２５】
上記の発明によれば、番組の録画指示は、番組そのものに基づいて変更され、正確な番組録画が実行されることが期待できる。
【００２６】
また、上記番組録画装置において、前記録画時間帯決定部によって決定された録画時間帯にかかわらず前記番組録画装置が放送局から受信可能な番組を前記番組格納部が一時的に格納するか否かの設定がユーザによって行われる設定部と、前記設定部の設定内容に合うように、前記番組格納部に番組を格納する番組格納実行部とをさらに含むことが望ましい。
【００２７】
また、上記番組録画方法において、ユーザによって入力された、前記録画時間帯決定ステップで決定された録画時間帯にかかわらず前記番組録画装置が放送局から受信可能な番組を前記番組格納部が一時的に格納するか否かの設定を受け付ける設定受付ステップと、前記設定受付ステップで受け付けた設定内容に合うように、前記番組格納部に番組を格納する番組格納実行ステップとをさらに含むことが望ましい。
【００２８】
上記の発明によれば、録画時間帯にかかわらず番組録画装置によって受信可能な番組を番組格納部に一時的に格納するか否かをユーザが選択することが可能になる。このため、不要な番組を番組格納部へ格納することを防止することが可能となる。
【００２９】
また、上記番組録画装置において、前記番組格納部に番組の一部しか存在しない部分番組が格納されている際にユーザによって入力された前記部分番組を指定する旨の部分番組指定情報を受け付ける入力部をさらに含み、前記照合部は、前記入力部によって受け付けられた部分番組指定情報によって指定された部分番組と該部分番組の後に前記番組格納部に格納された番組とを照合することによって、該部分番組と同じ内容の部分番組を検出し、前記録画時間帯決定部は、前記照合部によって検出された部分番組の前の部分および／または後ろの部分が録画されるように番組の録画時間帯を決定することが望ましい。
【００３０】
また、上記番組録画方法において、前記番組格納部に番組の一部しか存在しない部分番組が格納されている際にユーザによって入力された前記部分番組を指定する旨の部分番組指定情報を受け付ける入力ステップをさらに含み、前記照合ステップは、前記入力ステップで受け付けられた部分番組指定情報によって指定された部分番組と該部分番組の後に前記番組格納部に格納された番組とを照合することによって、該部分番組と同じ内容の部分番組を検出し、前記録画時間帯決定ステップは、前記照合ステップで検出された部分番組の前の部分および／または後ろの部分が録画されるように番組の録画時間帯を決定することが望ましい。
【００３１】
上記の発明によれば、例えば番組の途中から番組格納部に格納された部分番組に基づいてその部分番組と同じ番組（例えば再放送番組）を自動的に番組記録媒体に記録することが期待できる。
【００３２】
また、上記番組録画装置において、前記照合部は、前記番組格納部に格納された複数の番組同士を照合することによって、該複数の番組からコマーシャルを検出し、前記録画時間決定部は、前記照合部によって検出されたコマーシャルを除いた番組の録画時間帯を決定することが望ましい。
【００３３】
また、上記番組録画方法において、前記照合ステップは、前記番組格納部に格納された複数の番組同士を照合することによって、該複数の番組からコマーシャルを検出し、前記録画時間決定ステップは、前記照合ステップで検出されたコマーシャルを除いた番組の録画時間帯を決定することが望ましい。
【００３４】
上記の発明によれば、複数の番組同士を照合することによってコマーシャルが検出され、その検出されたコマーシャルを除きながら番組を記録する。コマーシャルは実際のコマーシャル映像に則して検出されるため、コマーシャルそのものと異なる情報を用いてコマーシャルを検出する場合より、確度の高いコマーシャル検出が行われる可能性が高くなる。
【００３５】
また、上記番組録画装置において、前記照合部は、前記番組格納部に格納された複数の番組同士を照合することによって、該複数の番組からコマーシャルを検出し、前記録画部によって録画された番組を再生する際に、前記照合部によって検出されたコマーシャルを除いて再生する再生部をさらに含むことが望ましい。
【００３６】
また、上記番組録画方法において、前記照合ステップは、前記番組格納部に格納された複数の番組同士を照合することによって、該複数の番組からコマーシャルを検出し、前記録画ステップで録画された番組を再生する際に、前記照合ステップで検出されたコマーシャルを除いて再生する再生ステップをさらに含むことが望ましい。
【００３７】
上記の発明によれば、コマーシャルの検出精度が向上する可能性が高くなる。
【００３８】
また、上記番組録画装置において、コマーシャル特定条件を格納する条件格納部をさらに含み、前記照合部は、前記番組格納部に格納された複数の番組同士の照合結果および前記条件格納部に格納されたコマーシャル特定条件とに基づいて前記コマーシャルを検出することが望ましい。
【００３９】
また、上記番組録画方法において、前記照合ステップは、前記番組格納部に格納された複数の番組同士の照合結果およびコマーシャル特定条件を格納する条件格納部に格納されたコマーシャル特定条件とに基づいて前記コマーシャルを検出することが望ましい。
【００４０】
上記の発明によれば、高い精度でコマーシャルを除いて番組を再生することが可能になる。
【発明の効果】
【００４１】
本発明によれば、番組そのものと異なる情報を用いて録画時間帯を制御するのではなく番組そのものを用いて録画時間帯を制御しているため、録画時間帯が実際の番組の内容に則して決定される。このため、番組そのものと異なる情報を用いて録画時間帯を制御する場合より、正確な番組録画が実行される可能性が高くなることが期待できる。
【発明を実施するための最良の形態】
【００４２】
以下、本発明の実施例を図面を参照して説明する。
【００４３】
図１は、本発明の実施例の番組録画装置を示したブロック図である。
【００４４】
図１において、番組録画装置としての番組録画再生装置１は、ＨＤＤ（ハードディスク）、ＤＶＤ（Digital Versatile Disk）またはビデオテープ等の記録媒体としての番組格納部２に番組を格納し、番組格納部２に格納されている番組を再生する。
【００４５】
番組格納部２は、複数の番組を格納している。さらに言えば、番組格納部２は、複数の番組をその放送時の時刻およびその放送局およびその番組名と関連づけて格納している。なお、番組格納部２に格納される放送局および番組名は、例えば、番組情報入力端子１４ａから取得可能なＥＰＧ情報から取得することが可能である。
【００４６】
本実施例では、番組格納部２に格納されている複数の番組のそれぞれは、番組開始時から所定時間が経過した際に共通の特定パターン（例えば、番組のテーマ曲、コマーシャルまたは番組のタイトルを示した映像パターン）が出現する。例えば、番組格納部２は、複数の番組として、同一番組名の複数の番組を格納している。なお、番組格納部２は、同一番組名の複数の番組に加えて同一番組名の複数の番組と異なる番組を格納してもよい。
【００４７】
番組録画再生装置１は、時計部１１と、ユーザインタフェース部１２と、予約部１３と、チューナ１４と、記録再生部１５と、解析部１６と、条件格納部１７と、解析データ格納部１８とを含む。なお、番組録画再生装置１は、番組格納部２を含んでもよい。
【００４８】
時計部１１は、日時をカウントする。
【００４９】
録画予約受付部としてのユーザインタフェース部１２は、ユーザによって操作される操作部であり、例えば、ユーザ３によって入力された番組の録画予約を受け付ける。なお、ユーザ３によって入力される番組の録画予約は、録画日、録画開始時刻、録画終了時刻および放送局とを含む。ユーザインタフェース部１２は、ユーザ３によって入力された番組の録画予約を予約部１３に供給する。
【００５０】
また、ユーザインタフェース部１２は、ユーザ３によって入力された番組の再生指令を受け付け、その受け付けた番組の再生指令を記録再生部１５に供給する。
【００５１】
予約部１３は、録画予約格納部１３ａと比較回路１３ｂとを含み、ユーザインタフェース部１２によって受け付けられた番組の録画予約に基づいて番組の録画時間帯を決定し、その決定した番組の録画時間帯に基づく番組の録画を記録再生部１５に実行させる。
【００５２】
具体的には、録画予約格納部１３ａは、ユーザインタフェース部１２によって受け付けられた番組の録画予約（録画日、録画開始時刻、録画終了時刻および放送局）を格納する。比較回路１３ｂは、録画予約格納部１３ａに格納された番組の録画予約と時計部１１によってカウントされている日時する。
【００５３】
時計部１１によってカウントされている日時が録画予約格納部１３ａに格納された録画日および録画開始時刻とによって特定される日時になると、比較回路１３ｂは、録画予約格納部１３ａに格納された放送局から放送される番組を選択させる旨の放送局選択指令をチューナ１４に供給するとともにチューナ１４によって選択された放送局の番組を番組格納部２に格納させる旨の格納指令を記録再生部１５に供給する。
【００５４】
また、時計部１１によってカウントされている日時が録画予約格納部１３ａに格納された録画日および録画終了時刻とによって特定される日時になると、比較回路１３ｂは、チューナ１４の動作を停止させる旨のチューナ動作停止指令をチューナ１４に供給するとともに記録再生部１５に番組格納動作を停止させる旨の格納動作停止指令を記録再生部１５に供給する。
【００５５】
チューナ１４は、予約部１３から供給された放送局選択指令を受けると、番組情報入力端子１４ａを介して入力されたテレビ番組信号から録画予約された放送局によって放送されている番組を選択し、その選択した番組をＥＰＧ情報とともに出力する。また、チューナ１４は、予約部１３から供給されたチューナ動作停止指令を受けると、番組選択動作を停止する。
【００５６】
記録再生部１５は、予約部１３から供給された格納指令を受けると、チューナ１４によって選択された放送局の番組をチューナ１４から供給されたＥＰＧ情報および時計部１１によってカウントされている日時と関連づけて番組格納部２に格納する。また、記録再生部１５は、予約部１３から供給された格納動作停止指令を受けると、番組格納動作を停止する。
【００５７】
また、記録再生部１５は、例えば、解析部１６からの指示に応じて、番組格納部２に格納されている複数の番組を読み出し、読み出した複数の番組を解析部１６に供給する。例えば、記録再生部１５は、毎日または毎週等のような連続録画予約によって番組格納部２に格納された複数の番組（例えば、同一番組名の番組）を番組格納部２から読み出し、その読み出した複数の番組を解析部１６に供給する。
【００５８】
解析部１６は、記録再生部１５から供給された複数の番組同士、換言すると、番組格納部２に格納されている複数の番組同士をパターンマッチング等の手法により照合する。
【００５９】
解析部１６は、番組格納部２に格納されている複数の番組同士を照合することによって、録画予約格納部１３ａに格納されている録画予約に基づいて番組格納部２に格納されている最中の番組の特定パターン（例えば、番組のテーマ曲、コマーシャルまたは番組のタイトルを示した映像パターン）の出現時刻の、その他の番組の特定パターンの出現時刻に対するずれ時間を、その特定パターンと関連づけられていた時刻情報から検出する。
【００６０】
解析部１６は、録画予約格納部１３ａに格納されている最中の番組の録画終了時刻をその特定パターンの出現時刻のずれ時間だけ変更する。
【００６１】
予約部１３は、解析部１６によって変更された録画終了時刻に基づいて録画時間帯を変更する。換言すると、予約部１３は、解析部１６の照合結果に基づいて番組の録画時間帯を決定する。
【００６２】
また、例えば、解析部１６は、番組格納部２に格納されている複数の番組同士をパターンマッチング等の手法により照合することによって、それら複数の番組からコマーシャルを検出する。
【００６３】
条件格納部１７は、コマーシャル特定条件を格納する。条件格納部１７に格納されたコマーシャル特定条件としては、例えば、「他の映像に比べて頻繁に放送に現れる」、「限られた放送局（民放）にのみ現れる」、「一定の期間に放映が集中する」および「１５秒単位」に基づいて決定される。本実施例では、コマーシャル特定条件として、「一定回数以上放送に現れる」、「１５秒のシーンである」および「ＮＨＫの放送には現れない」を用いる。なお、コマーシャル特定条件は、上記に限らず適宜変更可能である。
【００６４】
解析部１６は、番組格納部２に格納されている複数の番組同士のパターンマッチング等の手法による照合結果および条件格納部１７に格納されたコマーシャル特定条件とに基づいてコマーシャルを特定する。
【００６５】
解析データ格納部１８は、解析部１６によって解析された番組の解析結果（解析データ）を格納する。また、解析データ格納部１８は、解析部１６がパターンマッチング等の手法による照合処理によって解析した照合結果データを格納する。例えば、解析データ格納部１８は、解析部１６によって検出された、複数の番組間での特定パターンの出現時刻のずれ時間およびコマーシャルを格納する。
【００６６】
解析部１６は、解析データ格納部１８に格納されたコマーシャルを記録再生部１５に供給する。
【００６７】
記録再生部１５は、ユーザインタフェース部１２から供給された再生指令に応じて、番組格納部２に格納されている番組を再生し、その再生した番組を外部のテレビジョン装置（不図示）に提供する。外部のテレビジョン装置は、表示部（不図示）およびスピーカ（不図示）とを用いて、記録再生部１５から提供された番組を出力する。
【００６８】
記録再生部１５は、解析部１６からコマーシャルが供給されると、番組格納部２に格納されている番組を再生する際に、解析部１６から供給されたコマーシャルと同じ部分を除くように再生（スキップ再生）する。
【００６９】
次に、動作を説明する。
【００７０】
図２は、解析部１６が実行する共通シーン（特定パターン）抽出動作を説明するためのフローチャートである。以下、図２を参照して、解析部１６が実行する共通シーン抽出動作を説明する。
【００７１】
記録再生部１５は、例えば、解析部１６からの指示またはユーザインタフェース部１２からの指示に応じて、番組格納部２に格納されている複数の番組を読み出し、読み出した複数の番組を解析部１６に供給する。
【００７２】
本実施例では、記録再生部１５は、録画予約格納部１３に格納された録画予約によって特定される番組と同じ番組名の複数の番組（例えば、録画予約格納部１３に格納された録画予約が毎日または毎週等のような連続録画予約の場合に、その連続予約によって番組格納部２に格納された複数の番組）を番組格納部２から読み出し、読み出した複数の番組を解析部１６に供給する。
【００７３】
解析部１６は、記録再生部１５から供給された複数の番組のそれぞれに１から始まる通し番号を付与する。なお、解析部１６は、その通し番号を特定するための変数ｎを有する。
【００７４】
ステップ２０１では、解析部１６は、記録再生部１５から供給された複数の番組の中の１つ目（通し番号が１）の番組を解析する。例えば、解析部１６によって実行される解析方式は、例えば、ＭＰＥＧ７方式等の解析方式が用いられる。解析部１６は、ステップ２０１での解析結果を解析データ格納部１８に格納する。解析部１６は、ステップ２０１の処理が終了すると、ステップ２０２の処理を実行する。
【００７５】
ステップ２０２では、解析部１６は変数ｎに２を代入する。解析部１６は、ステップ２０２の処理が終了すると、ステップ２０３の処理を実行する。
【００７６】
ステップ２０３では、解析部１６は、変数ｎによって特定される通し番号が付与された番組（ｎこめの番組）を解析する。ステップ２０３で解析部１６によって実行される解析方式は、例えば、ステップ２０１で用いられた解析方式と同様である。解析部１６は、ステップ２０３での解析結果を解析データ格納部１８に格納する。解析部１６は、ステップ２０３の処理が終了すると、ステップ２０４の処理を実行する。
【００７７】
ステップ２０４では、解析部１６は、解析データ格納部１８に格納されている解析結果を用いて、通し番号ｎの番組と、通し番号１から通し番号ｎ−１の番組とをパターンマッチングの手法で照合し、通し番号ｎの番組が有するシーン（パターン）の中で、通し番号１から通し番号ｎ−１の番組が有するシーンと一致するシーンを検出する。
【００７８】
ステップ２０４にて解析部１６によって実行されるパターンマッチング処理としては、例えば、特開平１０−１３６３１２号公報に記載されたパターンマッチング処理を用いる。なお、解析部１６によって実行されるパターンマッチング処理は、特開平１０−１３６３１２号公報に記載されたパターンマッチング処理に限るものではなく適宜変更可能である。解析部１６は、ステップ２０４の処理が終了すると、ステップ２０５の処理を実行する。
【００７９】
ステップ２０５では、解析部１６は、ステップ２０４で検出したシーンの中から番組開始時刻から所定時間後に出現する「共通シーン（特定パターン）」を抽出し、さらに、その抽出した「共通シーン」の出現時刻をそのシーンと関連づけられていた時刻情報から検出する。なお、解析部１６は、共通シーンとして、番組のテーマ曲、コマーシャルまたは番組のタイトルを示した映像パターンを抽出することが望ましい。なお、番組内のコマーシャルは変更される場合があるので、共通シーンは、コマーシャルより番組特有の番組のテーマ曲または番組のタイトルの方がよりよい。また、解析部１６は、検出した共通シーンが番組特有の共通シーンであることを確認するために、録画された他の複数の番組を解析し、解析した他の複数の番組から、その検出した共通シーンがほとんど検出されなければその検出した共通シーンが番組特有の共通シーンであると認識するようにしてもよい。解析部１６は、ステップ２０５の処理が終了すると、ステップ２０６の処理を実行する。
【００８０】
ステップ２０６では、解析部１６は、変数ｎの数値に基づいて記録再生部１５から供給された複数の番組のすべての解析が終了したか判断する。具体的には、解析部１６は、変数ｎの数値が、記録再生部１５から供給された複数の番組のそれぞれに付与した通し番号の中で最大の数値となっているか判断する。
【００８１】
解析部１６は、記録再生部１５から供給された全番組の解析が終了していない場合、換言すると、変数ｎの数値が複数の番組のそれぞれに付与した通し番号の中の最大の数値となっていない場合、ステップ２０７の処理を実行する。
【００８２】
解析部１６は、記録再生部１５から供給された全番組の解析が終了した場合、換言すると、変数ｎの数値が複数の番組のそれぞれに付与した通し番号の中の最大の数値となっている場合、共通シーン抽出動作を終了する。
【００８３】
なお、共通シーンの抽出動作によって、共通シーンが複数抽出される場合もある。この場合、例えば、解析部１６は、複数抽出した共通シーンを表示部（不図示）に表示し、複数抽出した共通シーンから特定の共通シーンをユーザ３に選択させるようにしてもよい。解析部１６は、ユーザ３によって選択された特定の共通シーンをステップ２０５で検出した共通シーンとして用いる。なお、複数抽出した共通シーンを表示する表示部は、ユーザインタフェース部１２内に設けてもよい。
【００８４】
ステップ２０７では、解析部１６は、変数ｎに１を加算する。解析部１６は、ステップ２０７の処理が終了すると、ステップ２０３の処理を実行する。
【００８５】
なお、解析部１６は、ステップ２０５で「共通シーン」の出現時刻を検出する際、検出する「共通シーン」の出現時刻に多少の時間的な幅を持たせてもよい。この場合、以下のような効果を奏する。例えば、ドラマ等で最初の１シーンが流されてから番組のタイトルおよびテーマ曲が流されるが、最初の１シーンの時間的な長さは多少変わる場合があるので、そのような最初の１シーンの時間的な長さの誤差のために番組の終了時刻が変更されることを防止することが可能になる。
【００８６】
また、解析部１６がステップ２０５で検出する「共通シーン」は、同じ番組名のすべての番組に含まれていなくてもよい。その理由は、スペシャル版の番組が放送されたりして、同じ番組でもタイトルまたはテーマ曲が多少異なる場合があるからである。
【００８７】
また、解析部１６がステップ２０１で実行する解析方式と、解析部１６がステップ２０４で実行するパターンマッチング処理方式とは、同じ方式でも異なる方式でもよい。
【００８８】
図３は、解析部１６が実行する録画終了時刻ずらし動作を説明するためのフローチャートである。以下、図３を参照して、解析部１６が実行する録画終了時刻ずらし動作を説明する。
【００８９】
時計部１１によってカウントされている日時が、録画予約格納部１３ａに格納された録画日および録画開始時刻とによって特定される日時になると、比較回路１３ｂは、録画予約格納部１３ａに格納された放送局から放送される番組を選択させる旨の放送局選択指令をチューナ１４に供給するとともにチューナ１４によって選択された放送局の番組を番組格納部２に格納させる旨の格納指令を記録再生部１５に供給する。
【００９０】
チューナ１４は、予約部１３から供給された放送局選択指令を受けると、番組情報入力端子１４ａを介して入力されたテレビ番組信号から録画予約された放送局によって放送されている番組を選択し、その選択した番組を出力する。なお、チューナ１４は、番組情報入力端子１４ａを介して入力されたＥＰＧ情報を番組と併せて出力する。
【００９１】
記録再生部１５は、予約部１３から供給された格納指令を受けると、チューナ１４によって選択された放送局の番組を番組格納部２に格納する。なお、記録再生部１５は、番組を番組格納部２に格納する際、時計部１１によってカウントされている日時およびチューナ１４から供給されたＥＰＧ情報を番組と関連づけて格納する。
【００９２】
解析部１６は、チューナ１４によって選択された放送局の番組が、図２で示した共通シーン抽出動作によって共通シーンが抽出された番組と同じ録画予約によって録画が開始された番組である場合または図２で示した共通シーン抽出動作によって共通シーンが抽出された番組と同じ番組名の番組である場合、記録再生部１５に、チューナ１４によって選択された放送局の番組を解析部１６に供給させる。
【００９３】
ステップ３０１では、解析部１６は、記録再生部１５から供給された番組を解析する。ステップ３０１で解析部１６によって実行される解析方式は、例えば、ステップ２０１で用いられた解析方式と同様である。解析部１６は、ステップ３０１での解析結果を解析データ格納部１８に格納する。解析部１６は、ステップ３０１の処理が終了すると、ステップ３０２の処理を実行する。
【００９４】
ステップ３０２では、解析部１６は、解析データ格納部１８に格納されている解析データを用いて、ステップ３０１で解析した番組中に、ステップ２０５で抽出した「共通シーン」が現れたか確認する。例えば、解析部１６は、ステップ３０１で解析した番組の解析結果と図２で示した共通シーン抽出動作で解析した番組の解析結果とをパターンマッチングの手法で照合し、ステップ３０１で解析した番組中に、ステップ２０５で抽出した「共通シーン」が現れたか確認する。
【００９５】
解析部１６は、ステップ３０１で解析した番組中にステップ２０５で抽出した「共通シーン」が現れるまでステップ３０２の処理を繰り返す。解析部１６は、ステップ３０２で「共通シーン」が現れるとその出現時刻をそのシーンと関連づけられていた時刻情報から検出し、その後、ステップ３０３の処理を実行する。
【００９６】
ステップ３０３では、解析部１６は、ステップ３０２で検出した「共通シーン」の出現時刻が、ステップ２０５で検出した「共通シーン」の出現時刻に対してずれているか否かを判定する。
【００９７】
解析部１６は、ステップ３０２で検出した「共通シーン」の出現時刻がステップ２０５で検出した「共通シーン」の出現時刻に対してずれている際には、ステップ３０４の処理を実行し、ステップ３０２で検出した「共通シーン」の出現時刻がステップ２０５で検出した「共通シーン」の出現時刻に対してずれていない際には、ステップ３０５の処理を実行する。
【００９８】
ステップ３０４では、解析部１６は、ステップ２０５で検出した「共通シーン」の出現時刻に対するステップ３０２で検出した「共通シーン」の出現時刻のずれ時間に合わせて、録画予約格納部１３ａに格納されているその番組の録画終了時刻を変更する。例えば、解析部１６は、元々の録画終了時刻が２１：００で、ずれ時間が２０分であれば、録画終了時刻を２０分後の２１：２０に変更する。なお、解析部１６は、番組開始後に出現する共通シーンの出現時刻が、その共通シーンを含む複数の番組間で必ずしも同じでない場合を考慮して、例えば、ずれ時間が２０分の際に、元々の録画終了時刻である２１：００をその２０分より多少多めの時間（例えば３０分）を用いて変更（例えば２１：３０に変更）するようにしてもよい。予約部１３は、解析部１６によって変更された録画終了時刻に基づいて録画時間帯を変更する。したがって、番組格納部２に格納される番組の録画時間帯が変更される。
【００９９】
ステップ３０５では、解析部１６は、録画予約格納部１３ａに格納されているその番組の録画終了時刻を変更せずに動作を終了する。
【０１００】
本実施例によれば、番組の録画予約が、複数の番組間での特定パターンの出現時刻のずれに基づいて変更される。複数の番組間での特定パターンの出現時刻のずれは、複数の番組同士を照合することによって検出される。このため、番組の録画予約は、番組そのものの内容に基づいて変更され、正確な番組録画が実行される可能性を高くすることが可能となる。このため、例えば、野球中継の延長等の要因で番組の終了時刻が遅くなっても、その変更に応じて録画時間帯を遅くする変更を正確に行うことが期待できる。
【０１０１】
図４は、解析部１６が実行するＣＭ検出動作を説明するためのフローチャートである。以下、図４を参照して、解析部１６が実行するＣＭ検出動作を説明する。なお、解析データ格納部１８は、解析部１６によって解析された過去の番組の解析結果（解析データ）を格納していることとする。
【０１０２】
記録再生部１５は、チューナ１４から番組が供給されると、その供給された番組を番組格納部２に格納するとともに解析部１６に供給する。
【０１０３】
ステップ４０１では、解析部１６は、記録再生部１５から供給された番組を解析する。ステップ４０１で解析部１６によって実行される解析方式は、例えば、ステップ２０１で用いられた解析方式と同様である。解析部１６は、ステップ４０１での解析結果を解析データ格納部１８に格納する。解析部１６は、ステップ４０１の処理が終了すると、ステップ４０２の処理を実行する。
【０１０４】
ステップ４０２では、解析部１６は、ステップ４０１で解析した番組と解析データ格納部１８に格納されている過去の番組の解析結果とを用いて、ステップ４０１で解析した番組と過去の番組とをパターンマッチングの手法で照合する。解析部１６は、ステップ４０２の処理が終了すると、ステップ４０３の処理を実行する。
【０１０５】
ステップ４０３では、解析部１６は、ステップ４０２の処理において一定回数以上のマッチングが認められたシーンが存在したか判定する。なお、ステップ４０３で行われる判定は、条件格納部１７に格納されている「一定回数以上放送に現れる」というコマーシャル特定条件に対応するものである。
【０１０６】
ステップ４０３で、一定回数以上のマッチングが認められたシーンが存在しないと判断された場合、解析部１６はステップ４０４の処理を実行する。また、ステップ４０３で一定回数以上のマッチングが認められたシーンが存在すると判断された場合、解析部１６はステップ４０５の処理を実行する。
【０１０７】
ステップ４０４では、解析部１６は、マッチングが認められたシーンは、コマーシャル特定条件を満たしていないためＣＭではないと判定し、動作を終了する。
【０１０８】
ステップ４０５では、解析部１６は、一定の回数以上のマッチングが認められたシーンが他のコマーシャル特定条件（具体的には、「１５秒のシーンである」および「ＮＨＫの放送には現れない」）を満たしているか判定する。
【０１０９】
ステップ４０５で、一定の回数以上のマッチングが認められたシーンが他のコマーシャル特定条件を満たしていないと判定された場合、解析部１６は、ステップ４０４の処理を実行する。
【０１１０】
ステップ４０５で、一定の回数以上のマッチングが認められたシーンが他のコマーシャル特定条件を満たしていると判定された場合、解析部１６は、ステップ４０６の処理を実行する。
【０１１１】
ステップ４０６では、解析部１６は、一定の回数以上のマッチングが認められたシーンはＣＭであると判定する。解析部１６は、ＣＭと判定したシーンを解析データ格納部１８に格納する。
【０１１２】
なお、解析部１６は、ＣＭと判定したシーンをデータベース化して解析データ格納部１８に格納してもよい。この場合、解析部１６は、録画予約された番組と同じ番組名の過去の番組においてどのタイミングでＣＭが使われているかを特定することが可能となり、その特定したＣＭタイミングを録画時間帯から除くように録画予約を変更すれば、ＣＭを除いた録画を行うことが可能になる。
【０１１３】
また、ＣＭと判定したシーンをデータベース化した場合、そのデータベースの信頼性の検証は、ＮＨＫ等のＣＭを使わない放送チャンネルで同じ画像が検出されるか否かにより行うことができる。例えば、ＣＭと判定したシーンがＣＭを使わない放送チャンネルで検出された場合、そのシーンはＣＭでないと判定することができる。
【０１１４】
解析部１６は、解析データ格納部１８に格納されたコマーシャルを記録再生部１５に供給する。
【０１１５】
記録再生部１５は、解析部１６からコマーシャルが供給されると、番組格納部２に格納されている番組をユーザインタフェース部１２から供給された再生指令に応じて再生する際に、解析部１６から供給されたコマーシャルと同じ部分を除くように再生（スキップ再生）する。
【０１１６】
記録再生部１５は、再生した番組を外部のテレビジョン装置に提供する。外部のテレビジョン装置は、表示部およびスピーカとを用いて、記録再生部１５から提供された番組を出力する。
【０１１７】
本実施例によれば、複数の番組同士を照合することによってコマーシャルが検出され、その検出されたコマーシャルを除きながら番組を再生する。コマーシャルは実際のコマーシャル映像に則して検出されるため、コマーシャルそのものと異なる情報を用いてコマーシャルを検出する場合より、確度の高いコマーシャル検出が行われる可能性が高くなる。
【０１１８】
本実施例では、新着ＣＭは、当初、ＣＭと判断することはできないが、ＣＭの放送例が番組格納部２に蓄積されていくにつれて、新着ＣＭをＣＭと判定することが可能となる。よって、過去に録画された番組を再生する際にも、その番組に含まれるＣＭを認識できていれば、ＣＭを除いた番組再生（ＣＭスキップ再生）を行うことが可能となる。
【０１１９】
また、本実施例によれば、番組そのものと異なる情報を用いて録画時間帯または番組再生を制御するのではなく番組そのものを用いて録画時間帯または番組再生を制御しているため、番組録画時間帯または番組再生が実際の番組に則して決定される。このため、番組そのものと異なる情報を用いて録画時間帯または番組の再生を制御する場合より、正確な番組録画または番組再生が実行される可能性が高くなることが期待できる。
【０１２０】
図５は、本発明の他の実施例を示したブロック図である。具体的には、図５に示した実施例は、図１に示した実施例に、一時記録再生部１５ａと番組格納部１０１とを追加し、かつ、ユーザインタフェース部１２が受け付ける情報が増え、さらに、解析部１６のかわりに解析部１６ａが用いられた例である。なお、図５において、図１に示したものと同一のものには同一符号を付してある。なお、図５に示した永続的記録再生部１５は、図１に示した記録再生部１５に対応する。
【０１２１】
図５において、番組録画装置としての番組録画再生装置１０は、チューナ１４が放送局から受信可能な番組を一時的にＨＤＤ（ハードディスク）等の記録媒体としての番組格納部１０１に格納する。また、番組録画再生装置１０は、番組格納部１０１に格納された番組の中からユーザによって指定された番組を番組格納部２に格納する。
【０１２２】
番組録画再生装置１０は、番組格納部１０１と、時計部１１と、ユーザインタフェース部１２と、予約部１３と、チューナ１４と、一時記録再生部１５ａと、永続的記録再生部１５と、解析部１６ａと、条件格納部１７と、解析データ格納部１８とを含む。なお、番組録画再生装置１０は、番組格納部２を含んでもよい。以下、図５に示した番組録画再生装置１０について、図１に示した番組録画再生装置１に対して追加された点を中心に説明する。
【０１２３】
設定部としてのユーザインタフェース部１２では、チューナ１４が放送局から受信可能な番組を一時的に番組格納部１０１に格納するか否かの設定がユーザによって行われる。
【０１２４】
なお、番組格納部１０１は、複数の番組を格納する。さらに言えば、番組格納部１０１は、複数の番組をその放送時の時刻およびその放送局およびその番組名と関連づけて格納している。なお、番組格納部１０１に格納される放送局および番組名は、例えば、番組情報入力端子１４ａから取得可能なＥＰＧ情報から取得することが可能である。
【０１２５】
本実施例では、ユーザインタフェース部１２において、オフ設定と、スタンバイ設定およびオン設定のいずれかがユーザ３によって行われる。
【０１２６】
オフ設定は、録画予約に応じた録画は実行可能であるが他の動作は実行しない従来の番組録画再生装置のオフ設定と同じである。
【０１２７】
スタンバイ設定は、録画と異なる機能、例えばテレビモニタへの映像／音声出力等の機能は実行不能であるが、チューナ１４が放送局から受信可能な番組を一時的に番組格納部１０１に格納する機能は実行可能である状態に番組録画再生装置１０を設定するための設定である。
【０１２８】
オン設定は、番組録画再生装置１０が有するすべての機能が使える従来の番組録画再生装置のオン設定と同じである。
【０１２９】
ユーザインタフェース部１２は、チューナ１４が放送局から受信可能な番組を一時的に番組格納部１０１に格納する設定（本実施例では、オン設定またはスタンバイ設定）がユーザ３によって行われると、番組を常時録画する旨の常時録画指令をチューナ１４および一時記録再生部１５ａに供給する。なお、チューナ１４と一時記録再生部１５ａとで番組格納実行部が構成される。
【０１３０】
チューナ１４は、ユーザインタフェース部１２から常時録画指令が供給されると、番組情報入力端子１４ａを介して入力されたテレビ番組信号から受信可能なすべての番組およびＥＰＧ情報とを出力する。一時記録再生部１５ａは、ユーザインタフェース部１２から常時録画指令が供給されると、チューナ１４から出力された番組をチューナ１４から供給されたＥＰＧ情報および時計部１１によってカウントされている日時と関連づけて一時的に番組格納部１０１に格納する。
【０１３１】
また、ユーザインタフェース部１２は、ユーザ３によって入力された、番組格納部１０１に格納された番組の中の録画予定番組を指定する録画番組指定情報（録画指示）を受け付ける。なお、録画番組指定情報は、録画日、録画開始時刻、録画終了時刻および放送局とを含む。ユーザインタフェース部１２は、受け付けた録画番組指定情報を解析部１６ａに供給する。
【０１３２】
解析部１６ａは、図１に示した解析部１６が有する機能を有するとともに、さらに新たな機能を有している。解析部１６ａは、照合部１６ｂと、録画時間帯決定部１６ｃとを含む。
【０１３３】
照合部１６ｂは、ユーザインタフェース部１２から録画番組指定情報が供給されると、その録画番組指定情報によって指定された番組およびその番組と同じ番組名の番組とを要求する旨の番組要求情報を一時記録再生部１５ａおよび永続的記録再生部１５に供給する。
【０１３４】
一時記録再生部１５ａは、解析部１６ａから供給された番組要求情報に応じた番組を番組格納部１０１から読み出し、読み出した番組を照合部１６ｂに供給する。また、永続的記録再生部１５は、解析部１６ａから供給された番組要求情報に応じた番組を番組格納部２から読み出し、読み出した番組を照合部１６ｂに供給する。
【０１３５】
照合部１６ｂは、一時記録再生部１５ａから供給された番組同士、永続的記録再生部１５から供給された番組同士および一時記録再生部１５ａから供給された番組と永続的記録再生部１５から供給された番組とをパターンマッチングの手法で照合する。
【０１３６】
照合部１６ｂは、パターンマッチングの手法で複数の番組を照合することによって、ユーザインタフェース部１２から供給された録画番組指定情報によって特定される番組と異なりかつその番組と同じ番組名の番組（以下「関連番組」と称する。）の特定パターンの出現時刻をその特定パターンと関連づけられていた時刻情報から検出する。なお、番組の特定パターンは、番組開始時から所定時間が経過した際に同じ番組名の番組において共通に出現する特定パターン（共通シーン）である。特定パターン（共通シーン）の例としては、番組のテーマ曲、コマーシャルまたは番組のタイトルを示した映像パターンが挙げられる。
【０１３７】
照合部１６ｂは、ユーザインタフェース部１２から供給された録画番組指定情報によって特定される番組の特定パターンの出現時刻をその特定パターンと関連づけられていた時刻情報から検出する。
【０１３８】
照合部１６ｂは、関連番組の特定パターンの出現時刻に対する、ユーザインタフェース部１２から供給された録画番組指定情報によって特定される番組の特定パターンの出現時刻のずれ時間を検出する。照合部１６ｂは、検出したずれ時間を録画時間帯決定部１６ｃに供給する。
【０１３９】
録画時間帯決定部１６ｃは、ユーザインタフェース部１２から供給された録画番組指定情報によって指定されている録画開示時刻および録画終了時刻を、照合部１６ｂから検出されたずれ時間に基づいて変更する。換言すると、録画時間帯決定部１６ｃは、照合部１６ｂの照合結果に基づいて番組の録画時間帯を決定する。
【０１４０】
例えば、関連番組の特定パターンの出現時刻に対して、ユーザインタフェース部１２から供給された録画番組指定情報によって特定される番組の特定パターンの出現時刻がある時間だけ遅れていた場合、録画時間帯決定部１６ｃは、録画開示時刻および録画終了時刻を、そのある時間だけ遅らせる。
【０１４１】
また、ユーザインタフェース部１２は、一時記録再生部１５ａに番組の一部しか存在しない部分番組が格納されている際にユーザによって入力された該部分番組を指定する旨の部分番組指定情報を受け付ける。ユーザインタフェース部１２は、その部分番組指定情報を解析部１６ａに供給する。
【０１４２】
照合部１６ｂは、ユーザインタフェース部１２から供給された部分番組指定情報によって指定された部分番組とその部分番組の後に番組格納部１０１に格納された番組とを一時記録再生部１５ａを介して番組格納部１０１から取得し、取得した番組同士をパターンマッチング等の手法により照合することによって、その部分番組と同じ内容の部分番組を検出する。
【０１４３】
録画時間帯決定部１６ｃは、照合部１６ｂによって検出された部分番組の前の部分および／または後ろの部分が録画されるように番組の録画時間帯を決定する。
【０１４４】
一時記録再生部１５ａは、録画時間帯決定部１６ｃによって決定された録画時間帯に基づいて番組格納部１０１に格納された複数の番組の中から録画する番組を選択し、その選択した番組を番組格納部１０１から読み取り、その読み取った番組を永続的記録再生部１５に供給する。永続的記録再生部１５は、一時記録再生部１５ａから供給された番組を番組格納部２に格納する。
【０１４５】
次に、動作を説明する。
【０１４６】
ユーザ３は、ユーザインタフェース部１２を操作して、オン設定、スタンバイ設定またはオフ設定を実行する。
【０１４７】
ユーザインタフェース部１２は、ユーザ３によってオン設定またはスタンバイ設定が設定されると、番組を常時録画する旨の常時録画指令をチューナ１４および一時記録再生部１５ａに供給する。
【０１４８】
チューナ１４は、ユーザインタフェース部１２から常時録画指令が供給されると、番組情報入力端子１４ａを介して入力されたテレビ番組信号から受信可能なすべての番組およびＥＰＧ情報を出力する。一時記録再生部１５ａは、ユーザインタフェース部１２から常時録画指令が供給されると、チューナ１４から出力された番組をチューナ１４から出力されたＥＰＧ情報および時計部１１によってカウントされている日時情報と関連づけて一時的に番組格納部１０１に格納する。
【０１４９】
ユーザインタフェース部１２は、ユーザ３によってオフ設定が設定されると、チューナ１４および一時記録再生部１５ａに対して常時録画指令を供給しない。このため、ユーザ３によってオフ設定が設定されると、一時記録再生部１５ａは番組格納部１０１への格納を実行しない。
【０１５０】
本実施例によれば、ユーザが番組格納部１０１への番組の常時格納を中止することができるので、番組格納部１０１に必要のない番組が保存されることを防止することが可能となる。
【０１５１】
また、ユーザインタフェース部１２は、ユーザによって入力された、番組格納部１０１に格納された番組の中の録画予定番組を指定する録画番組指定情報を受け付けると、受け付けた録画番組指定情報を解析部１６ａに供給する。
【０１５２】
照合部１６ｂは、ユーザインタフェース部１２から録画番組指定情報が供給されると、その録画番組指定情報によって指定された番組と同じ番組名の番組を要求する旨の番組要求情報を一時記録再生部１５ａおよび永続的記録再生部１５に供給する。
【０１５３】
一時記録再生部１５ａは、解析部１６ａから供給された番組要求情報に応じた番組を番組格納部１０１から読み出し、読み出した番組を照合部１６ｂに供給する。また、永続的記録再生部１５は、解析部１６ａから供給された番組要求情報に応じた番組を番組格納部２から読み出し、読み出した番組を照合部１６ｂに供給する。
【０１５４】
照合部１６ｂは、一時記録再生部１５ａから供給された番組同士、永続的記録再生部１５から供給された番組同士および一時記録再生部１５ａから供給された番組と永続的記録再生部１５から供給された番組とをパターンマッチングの手法で照合する。
【０１５５】
照合部１６ｂは、例えば、図２および図３のステップ３０１から３０３までの処理を実行して番組同士の照合を行い、録画番組指定情報によって特定される番組の共通シーン（特定パターン）の出現時刻が、関連番組の共通シーンの出現時刻に対してずれているが判断する。
【０１５６】
本実施例では、図２のステップ２０１およびステップ２０３で照合部１６ｂによって解析される番組は、録画番組指定情報によって特定される番組と異なりかつその番組と同じ番組名の番組（関連番組）であり、図３のステップ３０１で照合部１６ｂによって解析される番組は、録画番組指定情報によって特定される番組である。
【０１５７】
照合部１６ｂは、録画番組指定情報によって特定される番組の共通シーンの出現時刻が、関連番組の共通シーンの出現時刻に対してずれていない場合、その旨を示したずれ情報を録画時間帯決定部１６ｃに供給する。
【０１５８】
録画時間帯決定部１６ｃは、照合部１６ｂからずれがない旨のずれ情報が供給されると、ユーザインタフェース部１２から供給された録画番組指定情報によって指定されている録画開示時刻および録画終了時刻等に基づいて録画時間帯を決定し、その決定した録画時間帯を一時記録再生部１５ａに供給する。
【０１５９】
また、照合部１６ｂは、録画番組指定情報によって特定される番組の共通シーンの出現時刻が、関連番組の共通シーンの出現時刻に対してずれている場合、そのずれ時間を共通シーンと関連づけられている時刻情報に基づいて検出する。照合部１６ｂは、その検出したずれ時間を録画時間帯決定部１６ｃに供給する。
【０１６０】
録画時間帯決定部１６ｃは、ユーザインタフェース部１２から供給された録画番組指定情報によって指定されている録画開示時刻および録画終了時刻を、照合部１６ｂから供給されたずれ時間に基づいて変更し、その変更した録画時間帯を一時記録再生部１５ａに供給する。
【０１６１】
一時記録再生部１５ａは、録画時間帯決定部１６ｃによって決定された録画時間帯に基づいて番組格納部１０１に格納された複数の番組の中から録画する番組を選択し、その選択した番組を番組格納部１０１から読み取り、その読み取った番組を永続的記録再生部１５に供給する。永続的記録再生部１５は、一時記録再生部１５ａから供給された番組を番組格納部２に格納する。
【０１６２】
本実施例によれば、録画時間帯にかかわらず番組録画再生装置１０が放送局から受信可能な番組が一時的に番組格納部１０１に格納され、番組格納部１０１に格納された複数の番組の中から録画する番組が録画時間帯に基づいて選択され、その選択された番組が番組格納部２に格納される番組録画再生装置においても、上記と同様の効果を奏することが可能となる。
【０１６３】
図６は、ユーザによって指令されたシーン（部分番組）の前後の一定の期間の放送を番組格納部２に格納する動作を説明するためのフローチャートである。以下、図６を参照して、ユーザによって指令されたシーンの前後の一定の期間の放送を番組格納部２に格納する動作を説明する。
【０１６４】
ユーザインタフェース部１２は、一時記録再生部１５ａに番組の一部しか存在しない部分番組が格納されている際にユーザ３によって入力された該部分番組を指定する旨の部分番組指定情報を受け付けると、その部分番組指定情報を解析部１６ａに供給する。
【０１６５】
照合部１６ｂは、ユーザインタフェース部１２から部分番組指定情報が供給されると、その部分番組指定情報によって指定された部分番組を要求する旨の部分番組要求信号を一時記録再生部１５ａに供給する。
【０１６６】
一時記録再生部１５ａは、解析部１６ａから供給された部分番組要求情報に応じた部分番組を番組格納部１０１から読み出し、読み出した部分番組を照合部１６ｂに供給する。
【０１６７】
照合部１６ｂは、一時記録再生部１５ａから供給された部分番組を、例えば、図２のステップ２０１と同じ手法で解析する。照合部１６ｂは、部分番組の解析結果を解析データ格納部１８に格納する。
【０１６８】
続いて、照合部１６ｂは、その解析した部分番組の後に番組格納部１０１に格納された番組を要求する番組要求情報を一時記録再生部１５ａに供給する。
【０１６９】
一時記録再生部１５ａは、照合部１６ｂから供給された番組要求情報に応じた番組、具体的には、照合部１６ｂが解析した部分番組の後に番組格納部１０１に格納された番組を番組格納部１０１から読み出し、読み出した番組を照合部１６ｂに供給する。
【０１７０】
ステップ６０１では、照合部１６ｂは、一時記録再生部１５ａから供給された番組、具体的には照合部１６ｂが解析した部分番組の後に番組格納部１０１に格納された番組を、例えば、図２のステップ２０１と同じ手法で解析する。照合部１６ｂは、ステップ６０１で解析した番組の解析結果を解析データ格納部１８に格納する。照合部１６ｂは、ステップ６０１の処理が終了すると、ステップ６０２の処理を実行する。
【０１７１】
ステップ６０２では、照合部１６ｂは、解析データ格納部１８に格納してある部分番組の解析結果とその部分番組の後に番組格納部１０１に格納された番組の解析結果とを用いて、それらをパターンマッチング等の手法により照合することによって、その部分番組と同じ内容の部分番組を検出する。照合部１６ｂは、その同じ内容の部分番組を検出すると、ステップ６０３の処理を実行する。
【０１７２】
ステップ６０３では、録画時間帯決定部１６ｃは、照合部１６ｂによって検出された部分番組の前の部分および／または後ろの部分が録画されるように番組の録画時間帯を決定する。一時記録再生部１５ａは、録画時間帯決定部１６ｃによって決定された録画時間帯に基づいて番組格納部１０１に格納された複数の番組の中から録画する番組を選択し、その選択した番組を番組格納部１０１から読み取り、その読み取った番組を永続的記録再生部１５に供給する。永続的記録再生部１５は、一時記録再生部１５ａから供給された番組を番組格納部２に格納する。
【０１７３】
本実施例によれば、番組の途中から番組格納部１０１に格納された部分番組に基づいてその部分番組と同じ番組（例えば再放送番組）を自動的に番組記録媒体２に記録することが期待できる。
【０１７４】
例えば、テレビ番組放映時に録画したい番組に気づき、番組の途中から番組格納部１０１にその番組を録画した場合に、録画できた部分映像（部分番組）をもとにして、常に一時録画内容とのマッチングをとり、録画できた部分映像を含む番組の放映が再度行われた際に、該当部分（録画できた部分映像）の前の部分（あるいは後ろの部分）を録画することが可能となる。このため、「音楽ビデオクリップの一部を録画できた場合に、完全な形のものを入手する」または「ドラマの一部のみを録画できた（途中から気づいた場合、あるいは他の録画とのバッティングの場合）ときに、再放送で完全な番組を録画する」等の効果が期待できる。
【０１７５】
以上説明した各実施例において、図示した構成は単なる一例であって、本発明はその構成に限定されるものではない。
【０１７６】
例えば、図５に示した解析部１６ａ（具体的には照合部１６ｂ）は、図１に示した解析部１６のようにコマーシャルを検出してもよい（図４参照）。なお、解析部１６ａ（具体的には照合部１６ｂ）は、コマーシャル検出を行う際、コマーシャル検出に用いる番組として、番組格納部２に格納されている番組だけでなく番組格納部１０１に格納されている番組を用いてもよく、番組格納部１０１に格納されている番組のみを用いてもよい。
【０１７７】
また、照合部１６ｂがコマーシャルを検出した際、録画時間決定部１６ｃは、照合部１６ｂによって検出されたコマーシャルが除かれるように番組の録画時間帯を決定するようにしてもよい。この場合、高い精度で、コマーシャルを除きながら番組を録画することが可能となる。
【０１７８】
また、図５に示した例では、番組格納部１０１と番組格納部２とを別々の構成としたが、１つの番組格納部の中に番組格納部１０１と番組格納部２とが設けられるようにしてもよい。
【０１７９】
また、図５では、１台の番組録画再生装置１０につき１つの解析部１６ａが設けられた例を示したが、複数台の番組録画装置１０に対して１つの解析部１６ａが設けられるようにしてもよい。図７は、複数台の番組録画装置１０に対して１つの解析部１６ｄが設けられた例を示したブロック図である。図７において、図５で示したものと同一のものには同一符号を付してある。なお、図７では、図５の要部の構成のみを示している。
【図面の簡単な説明】
【０１８０】
【図１】本発明の一実施例の番組録画再生装置を示したブロック図である。
【図２】番組録画再生装置の動作を説明するためのフローチャートである。
【図３】番組録画再生装置の動作を説明するためのフローチャートである。
【図４】番組録画再生装置の動作を説明するためのフローチャートである。
【図５】本発明の他の実施例の番組録画再生装置を示したブロック図である。
【図６】番組録画再生装置の動作を説明するためのフローチャートである。
【図７】本発明の他の実施例の番組録画再生装置を示したブロック図である。
【符号の説明】
【０１８１】
１、１０  番組録画再生装置
１１      時計部
１２      ユーザインタフェース部
１３      予約部
１３ａ    録画予約格納部
１３ｂ    比較回路
１４      チューナ
１４ａ    番組情報入力端子
１５      記録再生部（永続的記録再生部）
１５ａ    一時記録再生部
１６      解析部
１６ａ    解析部
１６ｂ    照合部
１６ｃ    録画時間決定部
１７      条件格納部
１８      解析データ格納部
２        番組格納部
３        ユーザ
１０１    番組格納部
【図１】
2005294971.tif 000003
【図２】
2005294971.tif 000004
【図３】
2005294971.tif 000005
【図４】
2005294971.tif 000006
【図５】
2005294971.tif 000007
【図６】
2005294971.tif 000008
【図７】
2005294971.tif 000009